(57)【要約】【課題】  ＩＰ−ＰＢＸが再起動してからＩＰ端末のログイン動作が開始されるまでの時間を短縮可能なＩＰ−ＰＢＸを提供する。【解決手段】  ＩＰ端末４は、自端末のＭＡＣアドレスとＩＰアドレスとをログイン要求信号に載せ、ＩＰ−ＰＢＸ１のメイン制御部２１に送信する。メイン制御部２１は、ＩＰ端末４のＭＡＣアドレスを基に局データ制御部２２を通して局データ記憶部２４内のＩＰ端末ＭＡＣアドレス情報２４１からＩＰ端末４の端末番号を読出す。メイン制御部２１は、上記のログイン要求信号に含まれているＩＰアドレスと、局データ制御部２２を通して取得した端末番号とをログイン情報制御部２３を通してログイン情報記憶部２５のＩＰ端末ＩＰアドレス情報２５１に書込み、ＩＰ端末ＩＰアドレス情報２５１をデータ保存部３のログイン情報保存部３２内のＩＰ端末ＩＰアドレス情報３２１に書込む。【選択図】      図１
2008028491.tif 000002
【特許請求の範囲】
【請求項１】
ＩＰ（Ｉｎｔｅｒｎｅｔ  Ｐｒｏｔｏｃｏｌ）端末がＩＰ−ＰＢＸ（Ｉｎｔｅｒｎｅｔ  Ｐｒｏｔｏｃｏｌ−Ｐｒｉｖａｔｅ  Ｂｒａｎｃｈ  ｅＸｃｈａｎｇｅ）にログインすることで前記ＩＰ端末と前記ＩＰ−ＰＢＸとの通信を実現するＩＰ−ＰＢＸシステムであって、
前記ＩＰ−ＰＢＸは、前記ＩＰ−ＰＢＸの再起動時に前記ＩＰ−ＰＢＸが再起動前と同様の動作を行うために必要なデータを保存するデータ保存手段と、前記ＩＰ−ＰＢＸの再起動時に前記データ保存手段から前記データを読込む手段と、前記データ保存手段から読込んだデータを使用して前記ＩＰ端末にログイン許可を通知する手段とを有することを特徴とするＩＰ−ＰＢＸシステム。
【請求項２】
前記データ保存手段は、前記ＩＰ端末が前記ＩＰ−ＰＢＸへのログイン時に使用するＩＰアドレスを保存する外部記憶装置であることを特徴とする請求項１記載のＩＰ−ＰＢＸシステム。
【請求項３】
前記データ保存手段は、前記ＩＰ端末のログイン状態が変化した時に更新されるＩＰアドレスを保存することを特徴とする請求項２記載のＩＰ−ＰＢＸシステム。
【請求項４】
上記の請求項１から請求項３のいずれかに記載のＩＰ−ＰＢＸ。
【請求項５】
ＩＰ（Ｉｎｔｅｒｎｅｔ  Ｐｒｏｔｏｃｏｌ）端末がＩＰ−ＰＢＸ（Ｉｎｔｅｒｎｅｔ  Ｐｒｏｔｏｃｏｌ−Ｐｒｉｖａｔｅ  Ｂｒａｎｃｈ  ｅＸｃｈａｎｇｅ）にログインすることで前記ＩＰ端末と前記ＩＰ−ＰＢＸとの通信を実現するＩＰ−ＰＢＸシステムに用いるＩＰ端末ログイン方法であって、
前記ＩＰ−ＰＢＸが、前記ＩＰ−ＰＢＸの再起動時に前記ＩＰ−ＰＢＸが再起動前と同様の動作を行うために必要なデータをデータ保存手段に保存する処理と、前記ＩＰ−ＰＢＸの再起動時に前記データ保存手段から前記データを読込む処理と、前記データ保存手段から読込んだデータを使用して前記ＩＰ端末にログイン許可を通知する処理とを実行することを特徴とするＩＰ端末ログイン方法。
【請求項６】
前記データ保存手段は、前記ＩＰ端末が前記ＩＰ−ＰＢＸへのログイン時に使用するＩＰアドレスを保存する外部記憶装置であることを特徴とする請求項５記載のＩＰ端末ログイン方法。
【請求項７】
前記データ保存手段は、前記ＩＰ端末のログイン状態が変化した時に更新されるＩＰアドレスを保存することを特徴とする請求項６記載のＩＰ端末ログイン方法。
【発明の詳細な説明】
【技術分野】
【０００１】
本発明はＩＰ−ＰＢＸシステム、ＩＰ−ＰＢＸ及びそれらに用いるＩＰ端末ログイン方法に関し、特にＩＰ−ＰＢＸ（Ｉｎｔｅｒｎｅｔ  Ｐｒｏｔｏｃｏｌ−Ｐｒｉｖａｔｅ  Ｂｒａｎｃｈ  ｅＸｃｈａｎｇｅ）におけるＩＰ端末のログイン方法に関する。
【背景技術】
【０００２】
従来、ＩＰ−ＰＢＸシステムにおいては、ＩＰ（Ｉｎｔｅｒｎｅｔ  Ｐｒｏｔｏｃｏｌ）端末の移動性を実現するために、ＩＰ端末とＩＰアドレスとを関連付けるデータをＩＰ−ＰＢＸに登録せず、ＩＰ端末がログインしてきた時に、ＩＰ端末が使用しているＩＰアドレスを一時的にメモリに保持することによって、ＩＰ端末との通信を実現している（例えば、特許文献１参照）。
【０００３】
【特許文献１】特開２００４−０９６１９４号公報
【発明の開示】
【発明が解決しようとする課題】
【０００４】
しかしながら、上述した従来のＩＰ−ＰＢＸシステムでは、ＩＰ−ＰＢＸを再起動すると、保持していたＩＰアドレス情報が消去されるため、ＩＰ端末に対してＩＰ−ＰＢＸが再起動したことを通知することができず、ＩＰ−ＰＢＸが再起動してからＩＰ端末のログインが完了するまでの時間が、ＩＰ端末側のログイン要求送信周期に依存してしまうという課題がある。
【０００５】
つまり、従来のＩＰ−ＰＢＸでは、ＩＰ−ＰＢＸにログインしているＩＰ端末のＩＰアドレスをデータ保存部に保存していないため、ＩＰ−ＰＢＸの再起動によって消去されるソフトウェア制御部のＩＰアドレス情報を復活させることができない。したがって、ＩＰ−ＰＢＸは、ＩＰ端末に対してＩＰ−ＰＢＸ自身が再起動したことを通知することができない。一方、ＩＰ端末は、ＩＰ−ＰＢＸへの自動ログインを可能とするためにＩＰ−ＰＢＸへのログイン要求を周期的に送信している。
【０００６】
以上のことから、ＩＰ−ＰＢＸが再起動してからＩＰ端末のログインが開始されるまでの所要時間は、ＩＰ−ＰＢＸが再起動したタイミングとＩＰ端末のログイン要求送信とのタイミングに依存することは明らかである。しかしながら、ＩＰ端末がログイン要求を送信する周期は、ネットワークへの負荷を抑えるために数十秒〜数分であることが多いため、ＩＰ−ＰＢＸが再起動してからＩＰ端末のログイン要求が開始されるまでの所要時間が数十秒〜数分になってしまうという課題がある。
【０００７】
そこで、本発明の目的は上記の問題点を解消し、ＩＰ−ＰＢＸが再起動してからＩＰ端末のログイン動作が開始されるまでの時間を短縮することができるＩＰ−ＰＢＸシステム、ＩＰ−ＰＢＸ及びそれらに用いるＩＰ端末ログイン方法を提供することにある。
【課題を解決するための手段】
【０００８】
本発明によるＩＰ−ＰＢＸシステムは、ＩＰ（Ｉｎｔｅｒｎｅｔ  Ｐｒｏｔｏｃｏｌ）端末がＩＰ−ＰＢＸ（Ｉｎｔｅｒｎｅｔ  Ｐｒｏｔｏｃｏｌ−Ｐｒｉｖａｔｅ  Ｂｒａｎｃｈ  ｅＸｃｈａｎｇｅ）にログインすることで前記ＩＰ端末と前記ＩＰ−ＰＢＸとの通信を実現するＩＰ−ＰＢＸシステムであって、
前記ＩＰ−ＰＢＸは、前記ＩＰ−ＰＢＸの再起動時に前記ＩＰ−ＰＢＸが再起動前と同様の動作を行うために必要なデータを保存するデータ保存手段と、前記ＩＰ−ＰＢＸの再起動時に前記データ保存手段から前記データを読込む手段と、前記データ保存手段から読込んだデータを使用して前記ＩＰ端末にログイン許可を通知する手段とを備えている。
【０００９】
本発明によるＩＰ−ＰＢＸは、上記のＩＰ−ＰＢＸシステムの手段を備えている。
【００１０】
本発明によるＩＰ端末ログイン方法は、ＩＰ（Ｉｎｔｅｒｎｅｔ  Ｐｒｏｔｏｃｏｌ）端末がＩＰ−ＰＢＸ（Ｉｎｔｅｒｎｅｔ  Ｐｒｏｔｏｃｏｌ−Ｐｒｉｖａｔｅ  Ｂｒａｎｃｈ  ｅＸｃｈａｎｇｅ）にログインすることで前記ＩＰ端末と前記ＩＰ−ＰＢＸとの通信を実現するＩＰ−ＰＢＸシステムに用いるＩＰ端末ログイン方法であって、
前記ＩＰ−ＰＢＸが、前記ＩＰ−ＰＢＸの再起動時に前記ＩＰ−ＰＢＸが再起動前と同様の動作を行うために必要なデータをデータ保存手段に保存する処理と、前記ＩＰ−ＰＢＸの再起動時に前記データ保存手段から前記データを読込む処理と、前記データ保存手段から読込んだデータを使用して前記ＩＰ端末にログイン許可を通知する処理とを実行している。
【００１１】
すなわち、本発明のＩＰ−ＰＢＸ（Ｉｎｔｅｒｎｅｔ  Ｐｒｏｔｏｃｏｌ−Ｐｒｉｖａｔｅ  Ｂｒａｎｃｈ  ｅＸｃｈａｎｇｅ）システムは、運用稼動中のＩＰ−ＰＢＸシステムが一旦停止した後、再びシステムが起動した時に、ＩＰ−ＰＢＸからの要求によって、ＩＰ（Ｉｎｔｅｒｎｅｔ  Ｐｒｏｔｏｃｏｌ）端末にＩＰ−ＰＢＸへのログイン動作を開始させることを特徴としている。
【００１２】
より具体的に説明すると、本発明のＩＰ−ＰＢＸシステムでは、ＩＰ−ＰＢＸがソフトウェア制御部に記憶しているＩＰ端末のＩＰアドレスをデータ保存部に保存し、ＩＰ−ＰＢＸが再起動した時にデータ保存部からＩＰ端末のＩＰアドレスをソフトウェア制御部に読込み、このＩＰアドレスを使ってＩＰ端末にＩＰ−ＰＢＸ１へのログイン動作を開始させる。
【００１３】
このようにして、本発明のＩＰ−ＰＢＸシステムでは、ＩＰ−ＰＢＸがシステム停止して再起動した時に、ＩＰ端末にログイン動作を開始させることを可能としたため、ＩＰ−ＰＢＸが再起動してからＩＰ端末のログインが完了するまでの時間を従来より短縮することが可能となる。
【００１４】
ＩＰ−ＰＢＸにログインしているＩＰ端末のＩＰアドレスをデータ保存部に保存し、ＩＰ−ＰＢＸが再起動した時に、保存しておいたＩＰアドレス情報を基に、ＩＰ端末にＩＰ−ＰＢＸへのログイン受付けが可能になったことを通知することによって、ＩＰ端末のログイン要求周期に依らず、ＩＰ−ＰＢＸの再起動直後にＩＰ端末がログイン動作を開始することが可能となる。
【００１５】
これによって、本発明のＩＰ−ＰＢＸシステムでは、ＩＰ−ＰＢＸが再起動した時にＩＰ端末にログイン動作を開始させるための通知を行うことを可能としているので、ＩＰ−ＰＢＸが再起動してからＩＰ端末のログインが完了するまでの時間を短縮することが可能となる。
【００１６】
また、本発明のＩＰ−ＰＢＸシステムでは、ＩＰ−ＰＢＸに、ＩＰ端末とＩＰアドレスとの関係を固定的に登録せずに済むようにしているので、ＩＰアドレスを動的［例えば、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）等］にＩＰ端末に割り付けるシステムにも適用可能となる。
【発明の効果】
【００１７】
本発明は、上記のような構成及び動作とすることで、ＩＰ−ＰＢＸが再起動してからＩＰ端末のログイン動作が開始されるまでの時間を短縮することができるという効果が得られる。
【発明を実施するための最良の形態】
【００１８】
次に、本発明の実施例について図面を参照して説明する。図１は本発明の一実施例によるＩＰ−ＰＢＸ（Ｉｎｔｅｒｎｅｔ  Ｐｒｏｔｏｃｏｌ−Ｐｒｉｖａｔｅ  Ｂｒａｎｃｈ  ｅＸｃｈａｎｇｅ）システムの構成を示すブロック図である。図１において、本発明の一実施例によるＩＰ−ＰＢＸシステムは、ＩＰ−ＰＢＸ１とＩＰ（Ｉｎｔｅｒｎｅｔ  Ｐｒｏｔｏｃｏｌ）端末４と、保守端末５とをＬＡＮ（Ｌｏｃａｌ  Ａｒｅａ  Ｎｅｔｗｏｒｋ）１００を介して接続して構成されている。
【００１９】
ＩＰ−ＰＢＸ１は、メインＣＰＵ（中央処理装置）（図示せず）内にて動作するソフトウェア制御部２と、メインＣＰＵ外の外部記憶装置（図示せず）上に存在するデータ保存部３とから構成されている。ソフトウェア制御部２とデータ保存部３とはデータバス１１０を介してデータ送受信を行う手段を備えている。
【００２０】
ソフトウェア制御部２は、メイン制御部２１と、局データ制御部２２と、ログイン情報制御部２３と、局データ記憶部２４と、ログイン情報記憶部２５と、ＬＡＮインタフェース部２６とから構成されている。
【００２１】
メイン制御部２１は、局データ制御部２２やログイン情報制御部２３と連携し、ＩＰ端末４のログイン処理や呼処理を行う手段を備えている。局データ制御部２２は、メイン制御部２１からの要求に応じ、局データ記憶部２４への局データの読出し、書込み、削除を行う手段を備えている。ログイン情報制御部２３は、メイン制御部２１からの要求に応じ、ログイン情報記憶部２５へのログイン情報の読出し、書込み、削除を行う手段を備えている。
【００２２】
局データ記憶部２４は、局データ（保守端末５から設定され、システム運用中に自動的に変更されることがない）を記憶するためのものであり、ＩＰ端末ＭＡＣ（Ｍｅｄｉａ  Ａｃｃｅｓｓ  Ｃｏｎｔｒｏｌ）アドレス情報２４１が記憶される。ＩＰ端末ＭＡＣアドレス情報２４１には、ＩＰ端末４のＭＡＣアドレスと端末番号（ＩＰ−ＰＢＸ１がＩＰ端末４を識別するための番号）とが双方向から検索できるようにして記憶されている。
【００２３】
ログイン情報記憶部２５は、ＩＰ端末４のログイン状態が変化した時に更新されるデータを記憶するためのものであり、ＩＰ端末ＩＰアドレス情報２５１が記憶される。ＩＰ端末ＩＰアドレス情報２５１には、ＩＰ端末４のＩＰアドレスと端末番号とが双方向から検索できるようにして記憶されている。
【００２４】
データ保存部３は、ハードディスクやフラッシュカードに代表される外部記憶装置内に存在し、局データ保存部３１とログイン情報保存部３２とから構成され、ＩＰ−ＰＢＸシステムが再起動した時に再起動前と同様の動作を行うために必要なデータを保存する手段を備えている。
【００２５】
局データ保存部３１には、局データ記憶部２４のＩＰ端末ＭＡＣアドレス情報２４１がＩＰ端末ＭＡＣアドレス情報３１１として保存され、ログインデータ保存部３２には、ログイン情報記憶部２５のＩＰ端末ＩＰアドレス情報２５１がＩＰ端末ＩＰアドレス情報３２１として保存されている。
【００２６】
図２及び図３は本発明の一実施例によるＩＰ−ＰＢＸシステムの動作を示すシーケンスチャートである。これら図１〜図３を参照して本発明の一実施例によるＩＰ−ＰＢＸシステムの動作について説明する。以下、図２を参照してＩＰ端末４のＩＰアドレスをＩＰ−ＰＢＸ１のデータ保存部３に保存するまでの流れについて説明する。
【００２７】
ＩＰ端末４の端末番号とＭＡＣアドレスとを関連付けるデータは、保守端末５によってＩＰ−ＰＢＸ１の局データ記憶部２４内のＩＰ端末ＭＡＣアドレス情報２４１に予め書込まれ、局データ保存部３１のＩＰ端末ＭＡＣアドレス情報３１１に予め保存されているものとする。
【００２８】
ＩＰ端末４は、自端末のＭＡＣアドレスとＩＰアドレスとをログイン要求信号に載せ、ＩＰ−ＰＢＸ１のメイン制御部２１に送信する（図２のａ１）。メイン制御部２１は、ログイン要求信号に含まれているＭＡＣアドレスを端末番号読出し要求信号に載せ、局データ制御部２２に送信する（図２のａ２）。
【００２９】
局データ制御部２２は、端末番号読出し要求信号に含まれているＭＡＣアドレスを検索キーとして、局データ記憶部２４内のＩＰ端末ＭＡＣアドレス情報２４１からＩＰ端末４の端末番号を読出し（図２のａ３）、読出したＩＰ端末４の端末番号をメイン制御部２１に返信する（図２のａ４）。
【００３０】
メイン制御部２１は、上記のログイン要求信号に含まれているＩＰアドレスと、局データ制御部２２から返信されてきた端末番号とをログイン情報書込み要求信号に載せ、ログイン情報制御部２３に送信する（図２のａ５）。ログイン情報制御部２３は、ログイン情報書込み要求信号に含まれている端末番号とＩＰアドレスとをＩＰ端末ＩＰアドレス情報２５１に書込み（図２のａ６）、ＩＰ端末ＩＰアドレス情報２５１への書込みが成功したことをメイン制御部２１に返信し（図２のａ７）、ＩＰ端末ＩＰアドレス情報２５１をデータ保存部３に送信する（図２のａ９）。
【００３１】
メイン制御部２１はログイン情報制御部２３からＩＰ端末ＩＰアドレス情報２５１への書込み成功が送られてくると、ＩＰ端末４にログイン許可を発行する（図２のａ８）。データ保存部３は、受信したＩＰ端末ＩＰアドレス情報２５１をログイン情報保存部３２内のＩＰ端末ＩＰアドレス情報３２１に書込む（図２のａ１０）。
【００３２】
上記のＩＰ端末ＩＰアドレス情報２５１のデータ保存部３への送信の実行タイミングは、１台のＩＰ端末４のログイン処理毎、複数台のＩＰ端末のログイン処理毎、一定時間毎、保守端末５からの指示があった時のいずれでもよく、また、１回で転送するＩＰ端末ＩＰアドレス情報２５１も、１台分、複数台分、全台分のいずれでもよい。
【００３３】
次に、図３を参照して、ＩＰ−ＰＢＸ１の再起動後にＩＰ端末４がＩＰ−ＰＢＸ１にログインするまでの流れについて説明する。図３のシーケンス開始段階では、すでにＩＰ−ＰＢＸ１が再起動し、システムイニシャル処理にて局データ保存部３１の内容がソフトウェア制御部２の局データ記憶部２４に読込まれているものとする。
【００３４】
システムイニシャル処理の中で、ログイン情報制御部２３は、ＩＰ端末ＩＰアドレス情報要求信号をデータ保存部３に送信する（図３のｂ１）。データ保存部３はＩＰ端末ＩＰアドレス情報３２１の内容をログイン情報制御部２３に送信する（図３のｂ２）。ログイン情報制御部２３は、データ保存部３から受信したＩＰ端末ＩＰアドレス情報３２１の内容をＩＰ端末ＩＰアドレス情報２５１に書込む（図３のｂ３）。
【００３５】
システムイニシャル完了後、メイン制御部２１は、端末番号要求信号を局データ制御部２２に送信する（図３のｂ４）。局データ制御部２２は、局データ記憶部２４に記憶されているＩＰ端末４の端末番号を読出し、メイン制御部２１に返信する（図３のｂ５）。メイン制御部２１は、返信された端末番号をログイン情報読出し要求信号に載せ、ログイン情報制御部２３に送信する（図３のｂ６）。
【００３６】
ログイン情報制御部２３は、受信したログイン情報読出し要求信号に含まれている端末番号を検索キーとして、ＩＰ端末ＩＰアドレス情報２５１からＩＰ端末４のＩＰアドレスを読出し（図３のｂ７）、読出したＩＰ端末４のＩＰアドレスをメイン制御部２１に返信する（図３のｂ８）。メイン制御部２１は、返信されたＩＰ端末４のＩＰアドレスを宛先とするログイン可能通知を送信する（図３のｂ９）。このログイン可能通知の内容は、ＩＰ端末４にログイン動作開始を指示するものでもよいし、ＩＰ端末４が再起動後に自動的にログイン動作を開始できる場合にはＩＰ端末４の再起動を指示するものでもよい。
【００３７】
ＩＰ端末４は、自端末のＭＡＣアドレスとＩＰアドレスとをログイン要求信号に載せ、ＩＰ−ＰＢＸ１のメイン制御部２１に送信する（図３のｂ１０）。メイン制御部２１は、ログイン要求信号に含まれているＭＡＣアドレスを端末番号読出し要求信号に載せ、局データ制御部２２に送信する（図３のｂ１１）。
【００３８】
局データ制御部２２は、端末番号読出し要求信号に含まれているＭＡＣアドレスを検索キーとして、局データ記憶部２４内のＩＰ端末ＭＡＣアドレス情報２４１からＩＰ端末４の端末番号を読出し（図３のｂ１２）、読出したＩＰ端末４の端末番号をメイン制御部２１に返信する（図３のｂ１３）。
【００３９】
メイン制御部２１は、ＩＰ端末４からのログイン要求信号に含まれているＩＰアドレスと、局データ制御部２２から返信された端末番号とをログイン情報書込み要求信号に載せ、ログイン情報制御部２３に送信する（図３のｂ１４）。
【００４０】
ログイン情報制御部２３は、ログイン情報書込み要求信号に含まれている端末番号とＩＰアドレスとをＩＰ端末ＩＰアドレス情報２５１に書込み（図３のｂ１５）、書込みが成功したことをメイン制御部２１に返信し（図３のｂ１６）、ＩＰ端末ＩＰアドレス情報２５１をデータ保存部３に送信する（図３のｂ１８）。
【００４１】
メイン制御部２１はログイン情報制御部２３からＩＰ端末ＩＰアドレス情報２５１への書込み成功が送られてくると、ＩＰ端末４にログイン許可を発行する（図３のｂ１７）。データ保存部３は、受信したＩＰ端末ＩＰアドレス情報２５１をログイン情報保存部３２内のＩＰ端末ＩＰアドレス情報３２１に書込む（図３のｂ１９）。
【００４２】
上記のＩＰ端末ＩＰアドレス情報２５１のデータ保存部３への送信の実施タイミングは、１台のＩＰ端末４のログイン処理毎、複数台のＩＰ端末４のログイン処理毎、一定時間毎、保守端末５からの指示があった時のいずれでもよく、また、１回で転送するＩＰ端末ＩＰアドレス情報２５１も、１台分、複数台分、全台分のいずれでもよい。
【００４３】
このように、本実施例では、ＩＰ−ＰＢＸ１が再起動した時にＩＰ端末４にログイン動作を開始させるための通知を行うことを可能としているので、ＩＰ−ＰＢＸ１が再起動してからＩＰ端末４のログインが完了するまでの時間を短縮することができる。
【００４４】
また、本実施例では、ＩＰ−ＰＢＸ１に、ＩＰ端末４とＩＰアドレスとの関係を固定的に登録せずに済むようにしているので、ＩＰアドレスを動的［例えば、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）等］にＩＰ端末４に割り付けるシステムにも適用することができる。
【図面の簡単な説明】
【００４５】
【図１】本発明の一実施例によるＩＰ−ＰＢＸシステムの構成を示すブロック図である。
【図２】本発明の一実施例によるＩＰ−ＰＢＸシステムの動作を示すシーケンスチャートである。
【図３】本発明の一実施例によるＩＰ−ＰＢＸシステムの動作を示すシーケンスチャートである。
【符号の説明】
【００４６】
１  ＩＰ−ＰＢＸ
２  ソフトウェア制御部
３  データ保存部
４  ＩＰ端末
５  保守端末
２１  メイン制御部
２２  局データ制御部
２３  ログイン情報制御部
２４  局データ記憶部
２５  ログイン情報記憶部
２６  ＬＡＮインタフェース部
３１  局データ保存部
３２  ログイン情報保存部
１００  ＬＡＮ
１１０  データバス
２４１，３１１  ＩＰ端末ＭＡＣアドレス情報
２５１，３２１  ＩＰ端末ＩＰアドレス情報
【図１】
2008028491.tif 000003
【図２】
2008028491.tif 000004
【図３】
2008028491.tif 000005